(57)【要約】【課題】本体部と蓋部とを有するハウジングにおいて、底面部の少なくとも両側に対向する側壁部が設けられた本体部に反り等の変形が生じていた場合に、本体部に蓋部を取り付けて、本体部における変形を簡単かつ適切に矯正する。【解決手段】本体部10と蓋部20とを有し、本体部10における底面部11の少なくとも両側に対向する側壁部12が設けられ、各側壁部12から蓋部取付用の延出部13が延出され、本体部10の上面を覆うようにして、蓋部20が各延出部13に取り付けられるハウジングにおいて、本体部10の各延出部13に、蓋部20を取り付ける一対の取付部15を設けると共に、蓋部20に前記の取付部15に係合されて取り付けられる一対の係合部23を所要間隔を隔てて配置させ、取付部15と係合部23との少なくとも一方に、本体部10に蓋部20を取り付けた状態で、本体部10における変形を矯正させる矯正部30を設けた。【選択図】図１１
2015056568.tif 000002
【特許請求の範囲】
【請求項１】
本体部と蓋部とを有し、本体部における底面部の少なくとも両側に対向する側壁部が設けられ、各側壁部から蓋部取付用の延出部が延出され、この本体部の上面を覆うようにして、蓋部が前記の各延出部に取り付けられるハウジングにおいて、前記の本体部における各延出部に、前記の蓋部を取り付ける少なくとも一対の取付部を設けると共に、前記の蓋部に前記の取付部に係合されて取り付けられる係合部であって所要間隔を隔てて配置される少なくとも一対の係合部を設け、前記の取付部と係合部との少なくとも一方に、本体部に蓋部を取り付けた状態で、本体部における変形を矯正させる矯正部を設けたことを特徴とするハウジング。
【請求項２】
請求項１に記載のハウジングにおいて、前記の本体部は、樹脂製の成形品であることを特徴とするハウジング。
【請求項３】
請求項１に記載のハウジングにおいて、前記の矯正部は、本体部の両側の側壁部の間隔を狭める方向及び／又は広げる方向に設けられていることを特徴とするハウジング。
【請求項４】
請求項１〜請求項３の何れか１項に記載のハウジングにおいて、前記の矯正部として、前記の取付部と係合部との少なくとも一方に、前記の係合部を取り付ける取付部の位置を調整するテーパー部を設けたことを特徴とするハウジング。
【請求項５】
請求項１〜請求項４の何れか１項に記載のハウジングにおいて、前記の矯正部を介して前記の取付部と係合部とを溶着させたことを特徴とするハウジング。
【請求項６】
請求項１〜請求項５の何れか１項に記載のハウジングにおいて、前記の本体部に、底面部の両側において対向する側壁部の他に、この両側における側壁部と連続する第３の側壁部を設け、この第３の側壁部から蓋部取付用の第３の延出部を延出させ、この第３の延出部に、前記の蓋部を取り付ける第３の取付部を設けると共に、前記の蓋部にこの第３の取付部に係合されて取り付けられる第３の係合部を設けたことを特徴とするハウジング。
【請求項７】
請求項６に記載のハウジングにおいて、前記の第３の取付部と第３の係合部との少なくとも一方に、本体部に蓋部を取り付けた状態で、本体部における変形を矯正させる矯正部を設けたことを特徴とするハウジング。
【請求項８】
底面部の両側において対向する側壁部と、この両側における側壁部と連続する第３の側壁部とを有し、対向する側壁部間にスクリュウ部材が設けられる本体部と、この本体部の上面を覆うようにして取り付けられる蓋部とを有する現像ハウジングにおいて、請求項１〜請求項７の何れか１項に記載のハウジングを用いたことを特徴とする現像ハウジング。
【請求項９】
請求項８に記載の現像ハウジングにおいて、前記の各側壁部における各延出部に設けられた各取付部と、前記の蓋部に設けられた各係合部とを係合される位置よりも各側壁部側の位置に、各延出部と蓋部とを封止させる封止手段を設けたことを特徴とする現像ハウジング。
【発明の詳細な説明】
【技術分野】
【０００１】
本発明は、ハウジング及び現像装置に使用する現像ハウジングに関するものである。特に、本体部と蓋部とを有するハウジングにおいて、底面部の少なくとも両側に対向する側壁部が設けられた本体部に反り等の変形が生じていても、この本体部に蓋部を装着させることによって、本体部における反り等の変形を簡単かつ適切に矯正できるように点に特徴を有するものである。
【背景技術】
【０００２】
従来から、画像形成装置における現像装置に使用する現像ハウジング等の各種のハウジングに、本体部と蓋部とを有するハウジングが広く利用されており、成形の容易性等から、前記の本体部として、樹脂材料を射出成形したものが広く利用されている。
【０００３】
また、近年においては、画像形成装置等を軽量化させる要求が増加しており、このため、現像ハウジング等の各種のハウジングにおいて、本体部を薄肉化することが行われている。
【０００４】
ここで、本体部を前記のように樹脂材料を射出成形して薄肉化するようにした場合、僅かな成型条件の違い等により、本体部に反り等の変形が発生し、これによりハウジングの精度が悪くなり、例えば、現像ハウジングのように、本体部において対向する側壁部間に設けたスクリュウ部材を回転させて、現像剤を攪拌させるようにした場合、本体部の底面部とスクリュウ部材との間の間隔が軸方向において変化し、スクリュウ部材が本体部の底面部と接触して、これらが破損したり、騒音が発生したり、現像剤が劣化したりする等の問題があった。
【０００５】
そして、このような本体部における反り等の変形を矯正するため、例えば、特許文献１に示されるものにおいては、筐体において剛性を低下させた低剛性部分の周辺部に剛性部品を固定させて、低剛性部分の変形を矯正することが示されている。
【０００６】
ここで、この特許文献１に示されるものにおいては、例えば、図１（Ａ），（Ｂ）に示すように、樹脂材料を射出成形した筐体１の底面部１ａに所要間隔を介してネジ穴部１ｂを設ける一方、溝形状になった剛性部品２の底面部２ａをネジ穴部１ｂが設けられた筐体１の底面部１ａの上にセットし、この状態で、筐体１の底面部１ａに設けられた各ネジ穴部１ｂに、各ネジ３を剛性部品２の底面部２ａの上からねじ込んで、剛性部品２の底面部２ａに筐体１の底面部１ａを密接させて、筐体１の底面部１ａを平坦にし、これにより筐体１における反り等の変形を矯正するようにしている。
【０００７】
しかし、図１（Ｃ）に示すように、筐体１の底面部１ａが大きく反っている状態では、筐体１の底面部１ａに設けられたネジ穴部１ｂが傾斜した状態となり、剛性部品２の底面部２ａの上から一方のネジ３を、筐体１の底面部１ａに設けられた一方のネジ穴部１ｂにねじ込んだとしても、筐体１の底面部１ａに設けられた他方のネジ穴部１ｂが大きく傾斜し、剛性部品２の底面部２ａの上から他方のネジ３を筐体１の底面部１ａに設けられた他方のネジ穴部１ｂにねじ込むことが非常に困難になり、例えば、剛性部品２を筐体１の底面部１ａに強く押し付けながら、他方のネジ３を他方のネジ穴部１ｂに強くねじ込むことが必要になる等の問題があった。
【先行技術文献】
【特許文献】
【０００８】
【特許文献１】特開２００１−１５９３８号公報
【発明の開示】
【発明が解決しようとする課題】
【０００９】
本発明は、本体部と蓋部とを有するハウジングにおいて、底面部の少なくとも両側に対向する側壁部が設けられた本体部に反り等の変形が生じていた場合に、本体部における反り等の変形を簡単かつ適切に矯正できるようにすることを課題とするものである。
【課題を解決するための手段】
【００１０】
本発明に係るハウジングにおいては、上記の課題を解決するため、本体部と蓋部とを有し、本体部における底面部の少なくとも両側に対向する側壁部が設けられ、各側壁部から蓋部取付用の延出部が延出され、この本体部の上面を覆うようにして、蓋部が前記の各延出部に取り付けられるハウジングにおいて、前記の本体部における各延出部に、前記の蓋部を取り付ける少なくとも一対の取付部を設けると共に、前記の蓋部に前記の取付部に係合されて取り付けられる係合部であって所要間隔を隔てて配置される少なくとも一対の係合部を設け、前記の取付部と係合部との少なくとも一方に、本体部に蓋部を取り付けた状態で、本体部における変形を矯正させる矯正部を設けた。
【００１１】
そして、このハウジングにおいては、本体部における各延出部に設けられた各取付部に、蓋部に設けられた各係合部を係合させて、本体部に蓋部を取り付けると共に、取付部と係合部との少なくとも一方に設けられた矯正部により、本体部における変形を矯正させるようにする。
【００１２】
ここで、前記の本体部としては、成形の容易性等から、一般に樹脂製の成形品が用いられ、また前記の蓋部も同様に樹脂製の成形品を用いることができる。なお、前記のように本体部に蓋部を取り付けて、本体部における変形を矯正させた後、本体部と蓋部との熱による膨張の差によって矯正された本体部が変形するのを防止するため、本体部と蓋部とを同じ材料、或いは熱膨張率の同じような材料で構成することが好ましい。
【００１３】
また、前記の本体部を成形した場合、本体部の底面部が山形状に沿って両側の側壁部が離れる方向に変形したり、本体部の底面部が谷形状に沿って両側の側壁部が近づく方向に変形したりするため、前記の矯正部を、本体部の両側の側壁部の間隔を狭める方向及び／又は広げる方向に設けるようにすることが好ましい。
【００１４】
そして、前記の矯正部としては、前記の取付部と係合部との少なくとも一方に、前記の係合部を取り付ける取付部の位置を調整するテーパー部を設けるようにすることができる。
【００１５】
また、前記のように本体部における各延出部に設けられた各取付部に、蓋部に設けられた各係合部を係合させ、矯正部により本体部における変形を矯正させるようにして本体部に蓋部を取り付けた後は、前記の矯正部を介して前記の取付部と係合部とを溶着させるようにすることができる。
【００１６】
また、前記のハウジングにおいて、前記の本体部に、底面部の両側において対向する側壁部の他に、この両側における側壁部と連続する第３の側壁部を設け、この第３の側壁部から蓋部取付用の第３の延出部を延出させ、この第３の延出部に、前記の蓋部を取り付ける第３の取付部を設けると共に、前記の蓋部にこの第３の取付部に係合されて取り付けられる第３の係合部を設けるようにし、さらに前記の第３の取付部と第３の係合部との少なくとも一方に、本体部に蓋部を取り付けた状態で、本体部における変形を矯正させる矯正部を設けるようにすることができる。
【００１７】
また、本発明における現像ハウジングにおいては、底面部の両側において対向する側壁部と、この両側における側壁部と連続する第３の側壁部とを有し、対向する側壁部間にスクリュウ部材が設けられる本体部と、この本体部の上面を覆うようにして取り付けられる蓋部とを有する現像ハウジングにおいて、前記のようなハウジングを用いるようにした。
【００１８】
そして、このような現像ハウジングにおいては、前記の各側壁部における各延出部に設けられた各取付部と、前記の蓋部に設けられた各係合部とを係合させる位置よりも各側壁部側の位置に、各延出部と蓋部とを封止させる封止手段を設け、現像ハウジング内における現像剤が、本体部に蓋部を取り付けた部分から漏れ出すのを防止することが好ましい。
【発明の効果】
【００１９】
本発明に係るハウジングにおいては、前記のように本体部における各延出部に設けられた各取付部に、蓋部に設けられた各係合部を係合させて、本体部に蓋部を取り付けると共に、取付部と係合部との少なくとも一方に設けられた矯正部により、本体部における変形を矯正させるようにしたため、本体部における反り等の変形を簡単かつ適切に矯正できるようになる。
【００２０】
また、このようなハウジングを用いた現像ハウジングにおいては、本体部に反り等の変形が発生していても、前記のように本体部に蓋部を取り付けることにより、本体部における反り等の変形が矯正され、本体部において対向する側壁部間に設けたスクリュウ部材と本体部の底面部との間の間隔が軸方向において変化することがなく、スクリュウ部材と本体部の底面部との間の間隔が一定に保たれるようになり、スクリュウ部材を回転させて、現像剤を攪拌させるようにした場合に、スクリュウ部材が本体部の底面部と接触して、これらが破損したり、騒音が発生したり、現像剤が劣化したりするということがなくなる。
【図面の簡単な説明】
【００２１】
【図１】筐体に剛性部品を取り付けて、筐体の変形を矯正する従来技術を示し、（Ａ）は筐体に剛性部品を取り付けた状態を示した概略斜視図、（Ｂ）は筐体に剛性部品を取り付けた状態を示した概略断面図、（Ｃ）は筐体の変形が大きく、筐体に剛性部品を取り付けることが困難になる状態を示した断面説明図である。
【図２】本発明の実施形態に係るハウジングにおいて、本体部と蓋部とを分離させた状態を示した概略斜視図である。
【図３】前記の実施形態に係るハウジングにおいて、本体部に蓋部を装着させた状態を示した概略斜視図である。
【図４】前記の実施形態に係るハウジングにおいて、本体部の取付部に蓋部の係合部を係合させて、本体部に蓋部を装着させた状態を示した概略断面図である。
【図５】前記の実施形態に係るハウジングにおいて、本体部の取付部に蓋部の係合部を係合させた状態を示した部分拡大断面説明図である。
【図６】前記の実施形態に係るハウジングにおいて、本体部における底面部の中央部が上方に凸になるように変形して、両側の側壁部の上端部の間隔が広くなった本体部を示した概略断面図である。
【図７】前記の実施形態に係るハウジングにおいて、両側の側壁部の上端部の間隔が広くなった本体部の取付部に蓋部の係合部を係合させる状態を示した部分拡大断面説明図である。
【図８】前記の実施形態に係るハウジングにおいて、本体部における底面部の中央部が下方に凸になるように変形して、両側の側壁部の上端部の間隔が狭くなった本体部を示した概略断面図である。
【図９】前記の実施形態に係るハウジングにおいて、両側の側壁部の上端部の間隔が狭くなった本体部の取付部に蓋部の係合部を係合させる状態を示した部分拡大断面説明図である。
【図１０】前記の実施形態に係るハウジングにおいて、本体部に蓋部を装着させる前と本体部に蓋部を装着させた後とにおける反りの変化を示した概略図である。
【図１１】前記の実施形態に係るハウジングにおいて、本体部に蓋部を装着させた後、蓋部をさらに本体部に押し込んで、本体部に蓋部を取り付けた状態を示した概略断面図である。
【図１２】前記の実施形態に係るハウジングにおいて、本体部の取付部に蓋部の係合部を係合させて本体部に蓋部を取り付けた状態を示した部分拡大断面説明図である。
【図１３】前記の実施形態に係るハウジングの第１の変更例を示し、（Ａ）は本体部における各延出部に、側壁部の長さ方向に所要間隔を介して２つの取付部を設けた状態を示した概略平面図、（Ｂ）は蓋部における各鍔部に前記の取付部に対応させて２つの係合部を設けた状態を示した概略平面図である。
【図１４】前記の実施形態に係るハウジングの第２の変更例を示し、本体部における底面部の両側において対向する側壁部の他に、底面部の他の辺に沿って前記の両側における側壁部と連続する側壁部を設けた本体部と、この本体部に装着させる蓋部とを分離させた状態を示した概略斜視図である。
【図１５】前記の実施形態に係るハウジングを現像ハウジングに用いる例を示し、（Ａ）は本体部の概略断面図、（Ｂ）は本体部の概略平面図である。
【図１６】前記の現像ハウジングに用いる蓋部の概略平面図である。
【図１７】前記の実施形態に係るハウジングにおいて、本体部の取付部に蓋部の係合部を係合させて、本体部に蓋部を取り付ける場合の変更例を示し、（Ａ）は本体部の取付部に蓋部の係合部を導く前の状態を示した部分拡大断面説明図、（Ｂ）は本体部の取付部に蓋部の係合部を係合させて、本体部に蓋部を装着させた状態を示した部分拡大断面説明図、（Ｃ）は本体部に蓋部を装着させた後、蓋部をさらに本体部に押し込んで本体部に蓋部を取り付けた状態を示した部分拡大断面説明図である。
【発明を実施するための最良の形態】
【００２２】
次に、本発明の実施形態に係るハウジング及びこのようなハウジングを用いた現像ハウジングを添付図面に基づいて具体的に説明する。なお、本発明に係るハウジング及び現像ハウジングは、下記の実施形態に示したものに限定されず、その要旨を変更しない範囲において適宜変更して実施できるものである。
【００２３】
この実施形態のハウジングは、図２に示すように、本体部１０と蓋部２０とを有している。
【００２４】
そして、前記の本体部１０においては、平坦な底面部１１の両側の左右それぞれに一対の側壁部１２を対向するように設け、各側壁部１２からそれぞれ外方に向けて蓋部取付用の延出部１３を延出させ、この延出部１３の縁部に沿って立ち上げ部１４を設けている。一方、前記の蓋部２０においては、本体部１０の両側の側壁部１２の間に導入させる基部２１の両側の部分に、前記の延出部１３に対応させて、上方に向けて鍵形状に延出された鍔部２２を設けている。
【００２５】
そして、この実施形態においては、前記の蓋部２０が前記の本体部１０の上面を覆うようにして、蓋部２０における前記の鍔部２２を、本体部１０における前記の延出部１３に取り付けるようにしている。
【００２６】
ここで、この実施形態においては、蓋部２０における前記の鍔部２２を、本体部１０における延出部１３に取り付けるにあたり、本体部１０においては、前記の延出部１３に前記の蓋部２０を取り付ける取付部１５として、前記の立ち上げ部１４と所要間隔を介する位置に、前記の延出部１３から上方に向けて突出した所要幅の取付突部１５ａを設けると共に、この取付突部１５ａと対向するようにして前記の立ち上げ部１４に取付突部１５ａに向かう対向突出部１５ｂを設けている。
【００２７】
一方、前記の蓋部２０においては、前記の蓋部２０における鍔部２２の縁部から所要間隔を介した位置に、前記の取付突部１５ａを導入させる係合穴２３ａを設けている。この場合、係合穴２３ａの内面２３ｂ、係合穴２３ａの位置における蓋部２０の外面２３ｃ及び係合穴２３ａが、本体部１０における前記の取付部１４に係合される係合部２３として機能する。
【００２８】
また、この実施形態においては、本体部１０に蓋部２０を取り付けた状態で、本体部１０における変形を矯正させる矯正部３０として、本体部１０における前記の取付突部１５ａと対向突出部１５ｂとにおいて、それぞれ対向する面に下方に向かいそれぞれ対向側に傾斜したテーパー部３１、３２を設けている。
【００２９】
また、この実施形態においては、前記の蓋部２０における鍔部２２に設けられた係合穴２３ａを挟むようにして、その両側における鍔部２２の下面にそれぞれ突条２４、２５を設けると共に、蓋部の基部２１側における突条２５に、さらに下方に向けて突出した封止突条２５ａを設けている。
【００３０】
そして、この実施形態において、前記のように本体部１０の上面を覆うようにして、前記の蓋部２０における鍔部２２を、本体部１０における前記の延出部１３に取り付けるにあたっては、図３〜図５に示すように、本体部１０の各延出部１３に設けられた各取付突部１５ａをそれぞれ蓋部２０の鍔部２２に設けられた各係合穴２３ａ内に挿入させると共に、係合穴２３ａの外側における鍔部２２を、前記の取付突部１５ａと前記の対向突出部１５ｂとの間に導くようにして、本体部１０の上から蓋部２０を装着させるようにする。
【００３１】
ここで、左右それぞれの側壁部１２に対応して設けられた一対の取付突部１５ａに設けられたテーパー部３１（特に外側下端位置）の間隔、及び装着時にこれに当接する一対の係合穴２３ａの内面２３ｂの間隔は、設計値としては同じ長さ（例えば３０８．００ｍｍ）に設定している。
【００３２】
また、一対の取付突部１５ａに設けられたテーパー部３２（特に内側下端位置）の間隔、及び装着時にこれに当接する一対の係合穴２３ａの位置における蓋部２０の外面２３ｃの間隔も、同様に設計値としては同じ長さ（例えば３１０．５０ｍｍ）に設定している。
【００３３】
ここで、図６に示すように、前記の本体部１０における底面部１１の中央部が上方に凸になるように変形して、両側の側壁部１２の上端部の間隔が広くなっている場合を想定する。この場合は変形により、一対のテーパー部３１、一対のテーパー部３２の間隔は設計値よりも広がった状態になる。この状態で、前記のように本体部１０の各延出部１３に設けられた各取付突部１５ａを、それぞれ蓋部２０の鍔部２２に設けられた各係合穴２３ａ内に挿入させると、図７に示すように、係合穴２３ａの基部２１側の下縁が前記の取付突部１５ａに設けられたテーパー部３１に接触し、この状態で蓋部２０を本体部１０に向けて押し込むと、テーパー部３１の傾斜に沿って係合穴２３ａが案内されると共に、テーパー部３１が設けられた前記の取付突部１５ａを介して側壁部１２の延出部１３が中央側に押され、これにより広がった状態にある両側の側壁部１２の上端部の間隔が次第に狭くなって、中央部が上方に凸になった底面部１１の変形が次第に矯正され、広がっていた一対の矯正部（テーパー部３１、３２）の間隔は、蓋部２０に設けられた係合部２３（２３ｂ、２３ｃ）の間隔（設計値）に一致するように次第に狭くなり、蓋部２０を本体部１０に装着させた状態では、図３及び図４に示すように、本体部１０における底面部１１が矯正されて真っ直ぐな状態になって、本体部１０の変形が矯正される。
【００３４】
一方、図８に示すように、前記の本体部１０における底面部１１の中央部が下方に凸になるように変形して、両側の側壁部１２の上端部の間隔が狭くなっている場合を想定する。この場合は変形により、一対のテーパー部３１、一対のテーパー部３２の間隔は設計値よりも狭まった状態になる。この状態で、前記のように本体部１０の各延出部１３に設けられた各取付突部１５ａを、それぞれ蓋部２０の鍔部２２に設けられた各係合穴２３ａ内に挿入させると、図９に示すように、係合穴２３ａの外部側の下縁が前記の対向突出部１５ｂに設けられたテーパー部３２に接触し、この状態で蓋部２０を本体部１０に向けて押し込むと、テーパー部３２の傾斜に沿って係合穴２３ａが案内されると共に、テーパー部３２が設けられた前記の対向突出部１５ｂ及び立ち上げ部１４を介して側壁部１２の延出部１３が外側に押され、これにより狭くなった状態にある両側の側壁部１２の上端部の間隔が次第に広くなって、中央部が下方に凸になった底面部１１の変形が次第に矯正され、狭まっていた一対の矯正部（テーパー部３１、３２）の間隔は、蓋部２０に設けられた係合部２３（２３ｂ、２３ｃ）の間隔（設計値）に一致するように次第に広くなり、蓋部２０を本体部１０に装着させた状態では、図３及び図４に示すように、本体部１０における底面部１１が真っ直ぐな状態になって、本体部１０の変形が矯正される。
【００３５】
ここで、前記のように本体部１０における底面部１１が反って変形した場合において、この本体部１０に蓋部２０を装着させる前と、前記のようにして蓋部２０を装着させた場合において、本体部１０の底面部１１の長手方向における反りの変化を調べ、その結果を図１０に示した。この結果、蓋部２０を装着させる前においては、底面部１１の中央部に近づくにつれて反りが大きくなっていたが、蓋部２０を装着させた後においては、底面部１１における反りが解消されて、底面部１１が真っ直ぐな状態になっていた。
【００３６】
また、この実施形態においては、前記のように蓋部２０を本体部１０に装着させた後、さらに蓋部２０を本体部１０に押し込み、図１１及び図１２に示すように、係合穴２３ａの両側の下縁と接触する前記の各テーパー部３１、３２を変形させると共に、蓋部２０の基部２１側における突条２５からさらに下方に向けて突出した封止突条２５ａを本体部１０の延出部１３に押し付けて変形させ、この状態で、本体部１０における取付部１５と蓋部２０における係合部２３とを超音波溶着させて、蓋部２０を本体部１０に取り付けるようにした。
【００３７】
このようにすると、前記のように本体部１０の変形が矯正された状態で蓋部２０が本体部１０に強固に取り付けられ、振動等によって蓋部２０が本体部１０から外れたりするのが防止されると共に、前記の封止突条２５ａにより本体部１０における延出部１３と蓋部２０における鍔部２２との間が封止されて、本体部１０における延出部１３と蓋部２０における鍔部２２との間から粉体等が漏れ出すのを防止できるようになる。なお、蓋部２０を本体部１０に取り付ける方法は、特にこのような方法に限定されず、図示していないがネジ等で取り付けることもできる。
【００３８】
また、この実施形態においては、本体部１０の各側壁部１２から延出された各延出部１３に、それぞれ取付突部１５ａと対向突出部１５ｂとからなる取付部１５と、前記のテーパー部３１、３２からなる矯正部３０とを１つ設け、これに対応させて、蓋部２０における各鍔部２２に１つの係合穴２３ａを設けて、前記の係合部２３を１つ設けただけであるが、本体部１０の各延出部１３に設ける取付部１５、蓋部２０の各鍔部２２に設ける係合部２３の数等は特に限定されない。
【００３９】
例えば、図１３（Ａ），（Ｂ）に示すハウジングのように、本体部１０及び蓋部２０が大きくなって、本体部１０における側壁部１２及び蓋部２０における各鍔部２２の長さが長くなった場合には、本体部１０における各側壁部１２から延出された各延出部１３に、側壁部１２の長さ方向に所要間隔を介して前記のような取付部１５と矯正部３０とを複数設けるようにすると共に、これに対応させて、蓋部２０における各鍔部２２に、前記のような係合部２３を複数設けるようにすることもできる。
【００４０】
そして、このようなハウジングにおいて、前記のようにして本体部１０に蓋部２０を装着させると、大きくなった本体部１０における底面部１１の反りが適切に解消されると共に、本体部１０における捩れによる変形も解消され、本体部１０における変形を適切に矯正できるようになる。
【００４１】
また、この実施形態のハウジングにおいては、本体部１０における平坦な底面部１１の両側に一対の側壁部１２を対向するように設け、各側壁部１２からそれぞれ外方に向けて蓋部取付用の延出部１３を延出させると共に、蓋部２０においては、本体部１０の両側の側壁部１２の間に導入させる基部２１の両側の部分に、前記の延出部１３に対応させて、上方に向けて鍵形状に延出された鍔部２２を設けた例を示したが、ハウジングはこのようなものに限定されない。
【００４２】
例えば、図１４に示すハウジングのように、本体部１０における底面部１１の両側において対向する側壁部１２の他に、底面部１１の他の辺に沿って前記の両側における側壁部１２と連続する側壁部１２を設け、各側壁部１２からそれぞれ外方に向けて延出する蓋部取付用の延出部１３を連続するようにして平面コ字形状に設けると共に、この平面コ字形状になった延出部１３の縁部に沿って立ち上げ部１４を設け、また蓋部２０においては、本体部１０の側壁部１２の間に導入させる基部２１から、前記の延出部１３に対応させて、上方に向けて鍵形状に延出された鍔部２２を平面コ字形状に連続するように設けることができる。
【００４３】
また、このハウジングにおいては、図１４に示すように、本体部１０における各側壁部１２に対応する各延出部１３に、前記のように取付突部１５ａと対向突出部１５ｂとからなる取付部１５を設け、各取付突部１５ａと対向突出部１５ｂとに前記のようにテーパー部３１、３２からなる矯正部３０を設ける一方、前記の蓋部２０における各鍔部２２に係合穴２３ａを設けて、蓋部２０における各鍔部２２に前記のような係合部２３を、本体部１０の各延出部１３に設けられた取付部１５に対応させて設けている。
【００４４】
そして、このようなハウジングにおいて、前記のようにして本体部１０に蓋部２０を装着させると、本体部１０における変形が、本体部１０の各側壁部１２に装着された蓋部２０により矯正され、本体部１０における底面部１１の反りが適切に解消されると共に、本体部１０における捩れによる変形も解消されるようになる。
【００４５】
次に、現像装置に使用される現像ハウジングについて説明する。
【００４６】
現像ハウジングにおいては、図１５（Ａ），（Ｂ）に示すように、本体部１０における底面部１１の両側において対向する側壁部１２の間にスクリュウ部材４０を設けるようにしており、底面部１１の他の辺に沿って前記の両側における側壁部１２と連続する側壁部１２を設け、各側壁部１２からそれぞれ外方に向けて延出する蓋部取付用の延出部１３を連続するようにして平面コ字形状に設けると共に、この平面コ字形状になった延出部１３の縁部に沿って立ち上げ部１４を設けている。
【００４７】
また、この本体部１０における各側壁部１２に対応する各延出部１３に、前記のように取付突部１５ａと対向突出部１５ｂとからなる取付部１５を設け、各取付突部１５ａと対向突出部１５ｂとに前記のようにテーパー部３１、３２からなる矯正部３０を設けている。
【００４８】
一方、本体部１０に装着させる蓋部２０においては、図１６に示すように、本体部１０の側壁部１２の間に導入させる基部２１から、本体部１０における前記の延出部１３に対応させて、上方に向けて鍵形状に延出された鍔部２２を平面コ字形状に連続するように設けている。
【００４９】
また、この蓋部２０における各鍔部２２に係合穴２３ａを設けて、蓋部２０における各鍔部２２に前記のような係合部２３を、本体部１０の各延出部１３に設けられた取付部１５に対応させて設けると共に、鍔部２２に設けられた係合穴２３ａを挟むようにして、その両側における鍔部２２の下面にそれぞれ突条２４、２５を設け、蓋部の基部２１側における突条２５に、さらに下方に向けて突出した封止突条２５ａを設けている。
【００５０】
そして、このような現像ハウジングにおいて、前記のハウジングの場合と同様にして、本体部１０に蓋部２０を取り付けると、本体部１０における変形が、本体部１０の各側壁部１２に装着された蓋部２０により矯正され、本体部１０における底面部１１の反りが適切に解消されると共に、本体部１０における捩れによる変形も解消され、本体部１０の底面部１１と前記のスクリュウ部材４０との間の間隔が一定に保たれるようになり、スクリュウ部材４０を回転させて、現像剤を攪拌させるようにした場合に、スクリュウ部材４０が本体部１０の底面部１１と接触して、これらが破損したり、騒音が発生したり、現像剤が劣化したりするということがなくなる。
【００５１】
また、前記のように本体部１０に蓋部２０を取り付けた場合、前記の図１２に示すように、前記の封止突条２５ａにより本体部１０における延出部１３と蓋部２０における鍔部２２との間が封止されて、本体部１０内における現像剤が、本体部１０における延出部１３と蓋部２０における鍔部２２との間から漏れ出すのが適切に防止されるようになる。
【００５２】
なお、前記の各実施形態におけるハウジングにおいては、本体部１０における延出部１３に蓋部２０を取り付ける取付部１５として、取付突部１５ａと対向突出部１５ｂとを設けると共に、本体部１０における変形を矯正させる矯正部３０として、前記の取付突部１５ａと対向突出部１５ｂとの対向する面に下方に向かいそれぞれ対向側に傾斜したテーパー部３１、３２を設け、また蓋部２０において、蓋部２０の鍔部２２に係合穴２３ａを設け、本体部１０の取付部１５に係合される係合部２３を、係合穴２３ａの内面２３ｂ、係合穴２３ａの位置における蓋部２０の外面２３ｃ及び係合穴２３ａとで構成するようにしたが、本体部１０の延出部１３に設ける取付部１５、蓋部２０に設ける係合部２３、本体部１０における変形を矯正させる矯正部３０はこのようなものに限定されない。
【００５３】
例えば、図１７（Ａ）に示すハウジングのように、本体部１０における延出部１３に、取付部１５として取付凹部１５ｃを設け、この取付凹部１５ｃを挟むようにして、その両側における延出部１３の上面にそれぞれ封止突条１６ａ、１６ｂを設けると共に、本体部１０における変形を矯正させる矯正部３０として、この取付凹部１５ｃの対向する面に下方に向かいそれぞれ対向側に傾斜したテーパー部３３ａ、３３ｂを設ける一方、蓋部２０の鍔部２２に、本体部１０における前記の取付凹部１５ｃに係合される係合部２３として、蓋部２０の鍔部２２の下面に、下方に向かってテーパー状に収縮した係合凸部２３ｄを設けるようにすることができる。
【００５４】
そして、このハウジングにおいて、本体部１０の上面を覆うようにして、前記の蓋部２０における鍔部２２を、本体部１０における前記の延出部１３に取り付けるにあたっては、図１７（Ｂ）に示すように、本体部１０における延出部１３に設けられた取付凹部１５ｃ内に、蓋部２０の鍔部２２に設けられた係合凸部２３ｄを導き、取付凹部１５ｃの対向する面に設けられた前記のテーパー部３３ａ、３３ｂに沿って、前記の係合凸部２３ｄを取付凹部１５ｃ内に導入させて、本体部１０の上から蓋部２０を装着させるようにする。
【００５５】
このようにすると、本体部１０の底面部１１が反って変形していても、蓋部２０の鍔部２２に設けられた係合凸部２３ｄにより、取付凹部１５ｃの対向する面に設けられた前記のテーパー部３３ａ、３３ｂが押され、これにより、前記の場合と同様に、両側の側壁部１２の間隔が一定になるように調整されて、底面部１１における反りが解消され、本体部１０の変形が矯正されるようになる。
【００５６】
また、このように蓋部２０を本体部１０に装着させた後、さらに蓋部２０を本体部１０に押し込み、図１７（Ｃ）に示すように、蓋部２０に設けられた係合凸部２３ｄにより、取付凹部１５ｃに設けられた各テーパー部３３ａ、３３ｂを変形させると共に、蓋部２０における鍔部２２の下面により、延出部１３の上面に設けられた封止突条１６ａ、１６ｂを押し付けて変形させ、この状態で、本体部１０における取付部１５と蓋部２０における係合部２３とを超音波溶着させて、蓋部２０を本体部１０に取り付けるようにする。
【００５７】
このようにすると、前記の場合と同様に、本体部１０の変形が矯正された状態で蓋部２０が本体部１０に強固に取り付けられ、振動等によって蓋部２０が本体部１０から外れたりするのが防止されると共に、前記の封止突条１６ａ、１６ｂにより本体部１０における延出部１３と蓋部２０における鍔部２２との間が封止されて、本体部１０における延出部１３と蓋部２０における鍔部２２との間から粉体等が漏れ出すのを適切に防止できるようになる。
【００５８】
なお、前記の各実施形態においては、蓋部２０に上方に向けて鍵形状に延出された鍔部２２を設け、この鍔部２２に係合部２３を設けるようにしたが、必ずしも前記のような鍔部２２を設ける必要はなく、図示していないが、平坦な蓋部に前記のような各係合部を設けるようにすることもできる。
【符号の説明】
【００５９】
１０  本体部
１１  底面部
１２  側壁部
１３  延出部
１４  立ち上げ部
１５  取付部、１５ａ  取付突部、１５ｂ  対向突出部、１５ｃ  取付凹部
１６ａ、１６ｂ  封止突条（封止手段）
２０  蓋部
２１  基部
２２  鍔部
２３  係合部、２３ａ  係合穴、２３ｂ  内面、２３ｃ  外面、２３ｄ  係合凸部
２４、２５  突条、２５ａ  封止突条（封止手段）
３０  矯正部、３１，３２  テーパー部、３３ａ，３３ｂ  テーパー部
４０  スクリュウ部材
【図１】
2015056568.tif 000003
【図２】
2015056568.tif 000004
【図３】
2015056568.tif 000005
【図４】
2015056568.tif 000006
【図５】
2015056568.tif 000007
【図６】
2015056568.tif 000008
【図７】
2015056568.tif 000009
【図８】
2015056568.tif 000010
【図９】
2015056568.tif 000011
【図１０】
2015056568.tif 000012
【図１１】
2015056568.tif 000013
【図１２】
2015056568.tif 000014
【図１３】
2015056568.tif 000015
【図１４】
2015056568.tif 000016
【図１５】
2015056568.tif 000017
【図１６】
2015056568.tif 000018
【図１７】
2015056568.tif 000019